(57)【要約】【課題】斜め下側からローラ対に進入したシートが記録部と接触することを防止可能な装置を提供する。【解決手段】当該装置は、記録用紙１２を挟持して搬送可能な第１状態、及び下側ローラが下方に移動することでメディアトレイ１１０を挟持して搬送可能な第２状態に状態変化可能な搬送ローラ対５９と、記録用紙１２へインク滴を吐出する記録部２４と、搬送ローラ対５９よりも搬送向き１５上流側に設けられた上側ガイド部材１７と、上側ガイド部材１７と対向する下側ガイド部材２３と、両ガイド部材１７、２３によって区画される第１領域６７を経て搬送ローラ対５９へ送られる記録用紙１２を支持する手差しトレイ１０１と、搬送ローラ対５９と記録部２４の間において上方から記録用紙１２と当接する当接部７８とを備える。第１領域６７は、メディアトレイ１１０が搬送されるための第２領域６８を含んでいる。【選択図】図２
2015067436.tif 000002
【特許請求の範囲】
【請求項１】
上下方向に交差する方向に延びた搬送路に設けられたローラ対であって、当該ローラ対を構成するローラが互いに当接しておりシートを挟持可能な第１状態、及び上記ローラ対を構成するローラのうち下側ローラが下方に移動することによって上側ローラから離間しており被記録媒体を支持可能なメディアトレイを挟持可能な第２状態に状態変化可能なローラ対と、
上記搬送路における上記ローラ対よりもシートの搬送向きの下流側であって上記搬送路の上方に設けられており、上記搬送路を搬送されるシートまたは上記メディアトレイに支持された被記録媒体へ向けてノズルからインク滴を吐出する記録部と、
上記搬送路における上記ローラ対よりも上記搬送向きの上流側であって上記搬送路の上方に設けられた上側ガイド部材と、
上記搬送路における上記ローラ対よりも上記搬送向きの上流側であって上記搬送路の下方に上記上側ガイド部材と対向して設けられた下側ガイド部材と、
上記搬送路における上記ローラ対よりも上記搬送向きの上流側から上記上側ガイド部材及び上記下側ガイド部材によって区画される第１領域を経て上記ローラ対へ送られるシートを支持する手差しトレイと、
上記搬送路における上記ローラ対及び上記ノズルの間に設けられており、上記第１状態の上記ローラ対によるシートの挟持位置及び上記記録部よりも下方において上方からシートと当接する上側当接部と、を備え、
上記第１領域は、上記第１状態の上記ローラ対によるシートの挟持位置よりも下方であって上記メディアトレイが搬送されるための第２領域を含んでいるインクジェット記録装置。
【請求項２】
上記手差しトレイは、上記搬送路における上記ローラ対よりも上記搬送向きの上流側において上記搬送路と合流する手差し経路へ挿入されるシートが載置されるものであり、
上記搬送路は、上記手差し経路との合流位置よりも上記ローラ対側であって上記メディアトレイまたはシートの一方が搬送される第１経路と、上記合流位置よりも上記ローラ対と反対側であって上記メディアトレイが搬送される第２経路とで構成されている請求項１に記載のインクジェット記録装置。
【請求項３】
上記手差し経路は斜め上方から上記搬送路と合流する請求項２に記載のインクジェット記録装置。
【請求項４】
上記下側ガイド部材は、上記搬送向きの下流側の端部が上記挟持位置の近傍に位置する第３状態と、少なくとも上記搬送向きの下流側の端部が当該第３状態よりも下方に位置する第４状態とに状態変化可能であり、
上記ローラ対を上記第１状態に状態変化させるとともに上記下側ガイド部材を上記第３状態に状態変化させ、上記ローラ対を上記第２状態に状態変化させるとともに上記下側ガイド部材を上記第４状態に状態変化させる状態変化機構を更に備える請求項１から３のいずれかに記載のインクジェット記録装置。
【請求項５】
上記搬送路における上記ローラ対よりも上記搬送向きの下流側に配置され、且つ上記搬送向きと交差する幅方向において互いに間隔を空けて複数配置されており、下方からシートを支持する複数の下側当接部を更に備え、
上記上側当接部は、上記幅方向において上記下側当接部の間に配置されており、下端は上記下側当接部の上端よりも下方に位置する請求項１から４のいずれかに記載のインクジェット記録装置。
【請求項６】
上記搬送路における上記下側ガイド部材よりも上記搬送向きの上流側に下方から合流する湾曲路の湾曲内側を形成する内側ガイド部材と、
上記内側ガイド部材と対向しており、上記湾曲路の湾曲外側を形成する外側ガイド部材と、
上記ローラ対の下方に設けられ且つシートを支持可能なシートトレイと、
上記シートトレイに支持されたシートを、上記湾曲路の経路方向の端部であって上記搬送路との合流位置と反対側の端部側から上記湾曲路へ給送する給送部と、を更に備える請求項１から５のいずれかに記載のインクジェット記録装置。
【発明の詳細な説明】
【技術分野】
【０００１】
本発明は、ノズルからインク滴を吐出してシート及びシートよりも厚みのある被記録媒体に画像を記録するインクジェット記録装置に関する。
【背景技術】
【０００２】
インクジェット記録装置において、シートの他、ＣＤやＤＶＤなどに画像を記録するものも存在する。ＣＤやＤＶＤなどに画像記録が行われる際、ＣＤやＤＶＤなどは専用のメディアトレイに載置される。メディアトレイはインクジェット記録装置に設けられた挿入口から挿入され、装置内を搬送される。また、画像記録装置には、手差しトレイが設けられたものがある。手差しトレイにセットされたシートも、装置内を搬送される。
【０００３】
また、特許文献１のように、メディアトレイが差し込まれる挿入口が装置前面に設けられるとともに、手差しトレイが装置背面に設けられたインクジェット記録装置も存在する。装置前方から挿入されたメディアトレイと、装置後方から挿入されたシートとは、共通の搬送路を搬送され、記録部によって画像を記録される。当該インクジェット記録装置では、メディアトレイが搬送路を搬送される際、ローラ対を構成するローラ間隔が大きくなる。これにより、ローラ対は、メディアトレイを挟持して搬送することが可能となる。
【先行技術文献】
【特許文献】
【０００４】
【特許文献１】特開２０１１−１９００２７号公報
【発明の概要】
【発明が解決しようとする課題】
【０００５】
しかしながら、特許文献１に記載のインクジェット記録装置が、ローラ対を構成するローラのうち下側ローラが下方に移動することによって、ローラ間の間隔が大きくなるように構成されている場合、以下に説明するような問題が発生する。
【０００６】
つまり、このようなインクジェット記録装置では、搬送路において、ローラ対によるシートの挟持位置よりも下方に、メディアトレイを搬送するための空間が必要である。そのため、ローラ対と装置背面に設けられた手差しトレイとの間にも、当該空間が設けられる。この場合、手差しトレイに載置されたシートは、当該空間を経てローラ対による挟持位置に進入する。つまり、シートは、斜め下側からローラ対による挟持位置に進入する。すると、当該シートは、斜め上向きに搬送される。この場合、当該シートが記録部と接触してしまい、画像がシートに対して適正に記録されないおそれがある。
【０００７】
本発明は、上記問題に鑑みてなされたものであり、その目的は、シートが斜め下側からローラ対に進入した場合であっても、当該シートが記録部と接触する可能性を低くすることができる手段を提供することにある。
【課題を解決するための手段】
【０００８】
(1)  本発明に係るインクジェット記録装置は、上下方向に交差する方向に延びた搬送路に設けられたローラ対であって、当該ローラ対を構成するローラが互いに当接しておりシートを挟持可能な第１状態、及び上記ローラ対を構成するローラのうち下側ローラが下方に移動することによって上側ローラから離間しており被記録媒体を支持可能なメディアトレイを挟持可能な第２状態に状態変化可能なローラ対と、上記搬送路における上記ローラ対よりもシートの搬送向きの下流側であって上記搬送路の上方に設けられており、上記搬送路を搬送されるシートまたは上記メディアトレイに支持された被記録媒体へ向けてノズルからインク滴を吐出する記録部と、上記搬送路における上記ローラ対よりも上記搬送向きの上流側であって上記搬送路の上方に設けられた上側ガイド部材と、上記搬送路における上記ローラ対よりも上記搬送向きの上流側であって上記搬送路の下方に上記上側ガイド部材と対向して設けられた下側ガイド部材と、上記搬送路における上記ローラ対よりも上記搬送向きの上流側から上記上側ガイド部材及び上記下側ガイド部材によって区画される第１領域を経て上記ローラ対へ送られるシートを支持する手差しトレイと、上記搬送路における上記ローラ対及び上記ノズルの間に設けられており、上記第１状態の上記ローラ対によるシートの挟持位置及び上記記録部よりも下方において上方からシートと当接する上側当接部と、を備える。上記第１領域は、上記第１状態の上記ローラ対によるシートの挟持位置よりも下方であって上記メディアトレイが搬送されるための第２領域を含んでいる。
【０００９】
本構成によれば、手差しトレイに載置されたシートは、上側ガイド部材及び下側ガイド部材によって区画されている第１領域を経てローラ対による挟持位置へ進入する。この際、シートは、自重によって下側へ湾曲されて、下側ガイド部材に支持される、或いは、下側ガイド部材の近傍を通る。これにより、シートは、斜め下側からローラ対による挟持位置へ進入する。すると、ローラ対は、シートを斜め上向きに搬送する。ここで、搬送路におけるローラ対とノズルとの間には、上側当接部が設けられているため、シートは、上方から上側当接部に当接される。これにより、シートの搬送向きは、斜め上向きから下側へと変更される。その結果、シートが記録部と接触する可能性を低くすることができる。
【００１０】
(2)  上記手差しトレイは、上記搬送路における上記ローラ対よりも上記搬送向きの上流側において上記搬送路と合流する手差し経路へ挿入されるシートが載置されるものである。上記搬送路は、上記手差し経路との合流位置よりも上記ローラ対側であって上記メディアトレイまたはシートの一方が搬送される第１経路と、上記合流位置よりも上記ローラ対と反対側であって上記メディアトレイが搬送される第２経路とで構成されている。
【００１１】
手差しトレイに載置されたシートを斜め下側からでなく斜め上側からローラ対による挟持位置へ進入させるために、例えば、上側ガイド部材及び下側ガイド部材によって区画されている第１領域よりも搬送向きの上流側において、搬送路の下側を形成する部材の上面に、搬送向きに沿って斜め上向きの傾斜面が形成された凸部を設けることが考えられる。これにより、手差しトレイに載置されたシートは、傾斜面に沿って斜め上向きに案内されるため、上側へ湾曲される。その結果、当該シートを斜め上側からローラ対による挟持位置へ進入させることができる。
【００１２】
しかしながら、本構成では、搬送路に上記のような凸部を設けることはできない。なぜなら、凸部は手差しトレイに載置されたシートが通過する第１経路上に設けられる必要があるところ、メディアトレイは第１経路から合流位置を経て第２経路にまで搬送されるため、凸部を設けてしまうと、メディアトレイの搬送が凸部によって阻害されてしまうからである。よって、上記（１）のように上側当接部を設けることが有効となる。
【００１３】
(3)  上記手差し経路は斜め上方から上記搬送路と合流する。
【００１４】
本構成によれば、手差しトレイに載置されたシートは手差し経路を経て斜め上方から搬送路へ進入するため、搬送路において下方へ湾曲し易い。その結果、当該シートは、斜め下側からローラ対による挟持位置へ進入し易い。つまり、本構成では、シートが斜め下側からローラ対による挟持位置へ進入してしまうためにシートと記録部とが接触してしまうという課題がより顕著となる。そのため、上記（１）のように上側当接部を設けることが有効となる。
【００１５】
(4)  上記下側ガイド部材は、上記搬送向きの下流側の端部が上記挟持位置の近傍に位置する第３状態と、少なくとも上記搬送向きの下流側の端部が当該第３状態よりも下方に位置する第４状態とに状態変化可能である。上記ローラ対を上記第１状態に状態変化させるとともに上記下側ガイド部材を上記第３状態に状態変化させ、上記ローラ対を上記第２状態に状態変化させるとともに上記下側ガイド部材を上記第４状態に状態変化させる状態変化機構を更に備える。
【００１６】
本構成によれば、下側ガイド部材は、第３状態において搬送向きの下流側の端部が上記挟持位置の近傍に位置するため、シートを支持してローラ対による挟持位置へ案内することができる。また、ローラ対は、第１状態において、シートを挟持して搬送することができる。一方、状態変化機構がローラ対を第２状態に状態変化させると、ローラ対を構成するローラ同士の間隔が大きくなるため、ローラ対は、メディアトレイを挟持して搬送することができる。また、状態変化機構が下側ガイド部材を第３状態から第４状態に状態変化させると、下側ガイド部材が下方へ移動するため、搬送されるメディアトレイが下側ガイド部材と接触することを防止することができる。
【００１７】
(5)  本発明に係るインクジェット記録装置は、上記搬送路における上記ローラ対よりも上記搬送向きの下流側に配置され、且つ上記搬送向きと交差する幅方向において互いに間隔を空けて複数配置されており、下方からシートを支持する複数の下側当接部を更に備える。上記上側当接部は、上記幅方向において上記下側当接部の間に配置されており、下端は上記下側当接部の上端よりも下方に位置する。
【００１８】
本構成によれば、下側当接部と上側当接部とがシートに対して幅方向に連続する波形状を付与することによって、シートの湾曲を防止してシートと記録部との距離を一定に保つことができる。その結果、記録部によってシートに記録される画像の画質を良好に維持することができる。よって、ローラ対によって斜め上向きに搬送されるシートを上方から押さえることによってシートと記録部との接触可能性を低減する機能を有する上側当接部を、シートに対して波形状を付与する機能を有するものとしても用いることができる。
【００１９】
(6)  本発明に係るインクジェット記録装置は、上記搬送路における上記下側ガイド部材よりも上記搬送向きの上流側に下方から合流する湾曲路の湾曲内側を形成する内側ガイド部材と、上記内側ガイド部材と対向しており、上記湾曲路の湾曲外側を形成する外側ガイド部材と、上記ローラ対の下方に設けられ且つシートを支持可能なシートトレイと、上記シートトレイに支持されたシートを、上記湾曲路の経路方向の端部であって上記搬送路との合流位置と反対側の端部側から上記湾曲路へ給送する給送部と、を更に備える。
【００２０】
本構成によれば、湾曲路は下方から搬送路と合流する。そのため、手差しトレイに載置されて搬送路へ送られたシートは、搬送路と湾曲路との合流位置において、湾曲路を構成する空間側へ、つまり下方へ湾曲し易い。その結果、当該シートは、斜め下側からローラ対による挟持位置へ進入し易い。つまり、本構成では、シートが斜め下側からローラ対による挟持位置へ進入してしまうためにシートと記録部とが接触してしまうという課題がより顕著となる。そのため、上記（１）のように上側当接部を設けることがより有効となる。
【発明の効果】
【００２１】
本発明によれば、シートが斜め下側からローラ対に進入した場合であっても、当該シートが記録部と接触する可能性を低くすることができる。
【図面の簡単な説明】
【００２２】
【図１】図１は、本発明の実施形態の一例である複合機１０の斜視図である。
【図２】図２は、プリンタ部１１の内部構造を模式的に示す縦断面図である。
【図３】図３は、レバー部９０の案内部９５周辺を模式的に示す縦断面図であり、（Ａ）にはレバー部９０が第１位置の状態が示されており、（Ｂ）にはレバー部９０が第２位置の状態が示されている。
【図４】図４は、移動機構５０周辺を示す斜視図である。
【図５】図５は、搬送ローラ対５９及びレバー部９０の案内部９５を模式的に示す断面図であり、（Ａ）にはピンチローラ６１Ａ、６１Ｂが搬送ローラ６０と当接している状態が示されており、（Ｂ）にはピンチローラ６１Ｂが搬送ローラ６０から離間している状態が示されており、（Ｃ）にはピンチローラ６１Ａ、６１Ｂが搬送ローラ６０から離間している状態が示されている。
【図６】図６は、レバー部９０を模式的に示す平面図である。
【図７】図７は、メディアトレイ１１０が挿入された状態におけるプリンタ部１１の内部構造を模式的に示す縦断面図である。
【図８】図８は、変形例４におけるプリンタ部１１の内部構造を模式的に示す縦断面図である。
【図９】図９は、プリンタ部１１のうち手差しトレイ１０１から記録部２４に亘る領域の内部構造を模式的に示す縦断面図である。
【図１０】図１０は、開口１３４を備えていないプリンタ部１１の内部構造を模式的に示す縦断面図である。
【発明を実施するための形態】
【００２３】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。以下の説明においては、複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。
【００２４】
［複合機１０の全体構造］
図１に示されるように、複合機１０（本発明のインクジェット記録装置の一例）は、薄型の直方体に概ね形成されており、下部にプリンタ部１１が設けられている。複合機１０は、ファクシミリ機能及びプリント機能などの各種の機能を有している。複合機１０は、プリント機能として、インクジェット方式で記録用紙１２（図２参照）の片面に画像を記録する機能を有している。なお、複合機１０は、記録用紙１２の両面に画像を記録する機能を有していてもよい。また、複合機１０は、板形状のメディアトレイ１１０（図２及び図７参照）に支持されたＣＤ−ＲＯＭやＤＶＤ−ＲＯＭなどの記録メディア（本発明の被記録媒体の一例）の盤面上に画像を記録する機能を有する。
【００２５】
［給送トレイ２０］
図１に示されるように、プリンタ部１１は、前面７５に開口１３が形成された筐体１４を有している。筐体１４の正面には、開口１３を通じて後方へ凹んだ凹部８０が形成されている。給送トレイ２０（本発明のシートトレイの一例）が、前後方向８に移動することによって、凹部８０へ挿入可能であり凹部８０から脱抜可能である。給送トレイ２０は、上側が開放された箱形状の部材である。図２に示されるように、給送トレイ２０の底板２２には、記録用紙１２が支持される。給送トレイ２０の前側且つ上側には、排出トレイ２１が支持されている。排出トレイ２１は、給送トレイ２０と一体に前後方向８に移動する。排出トレイ２１の上面には、後述する記録部２４によって画像を記録された記録用紙１２が排出される。
【００２６】
［給送部１６］
図２に示されるように、給送部１６は、凹部８０に挿入された状態の給送トレイ２０の底板２２の上方に設けられている。給送部１６は、給送ローラ２５、給送アーム２６、及び駆動伝達機構２７を備えている。給送ローラ２５は、給送アーム２６の先端部で軸支されている。給送アーム２６は、基端部に設けられた支軸２８を中心として、矢印２９の方向に回動可能である。これにより、給送ローラ２５は、給送トレイ２０の底板２２または当該給送トレイ２０に支持された記録用紙１２に対して、当接及び離間が可能である。
【００２７】
給送ローラ２５は、複数のギヤが噛合されてなる駆動伝達機構２７によって、搬送用モータ（不図示）の駆動力が伝達されて回転する。これにより、給送トレイ２０の底板２２に載置された記録用紙１２のうち、給送ローラ２５と当接している最も上側の記録用紙１２が、後述する第１搬送路３３（本発明の湾曲路の一例）へ給送される。なお、給送ローラ２５は、搬送用モータとは別に設けられたモータから駆動力を付与されて回転してもよい。
【００２８】
［搬送路６５］
図２に示されるように、筐体１４内部において、給送トレイ２０の後端部から搬送路６５が延出されている。搬送路６５は、第１搬送路３３と第２搬送路３４（本発明の搬送路の一例）とを備える。第１搬送路３３は、給送トレイ２０の後端部から上方へ向かって湾曲しつつ延びている。第２搬送路３４は、前後方向８に延びている。なお、第２搬送路３４は、上下方向７に交差する方向であるならば、前後方向８以外に延びていてもよい。
【００２９】
第１搬送路３３の経路方向（後述する搬送向き１５に沿った方向）の下側の端部である一端側には、給送部１６によって給送された記録用紙１２が進入してくる。第１搬送路３３の経路方向の上側の端部である他端側は、後述する搬送ローラ対５９よりも搬送向き１５の上流側の合流位置Ｐ１で、第２搬送路３４と合流している。つまり、第１搬送路３３は、下方から第２搬送路３４と合流している。
【００３０】
給送トレイ２０に支持された記録用紙１２は、給送ローラ２５によって第１搬送路３３へ給送され、第１搬送路３３から第２搬送路３４に亘って図２に一点鎖線の矢印で示され
る搬送向き１５に沿って搬送される。メディアトレイ１１０は、開口１３から第２搬送路３４へ挿入され、第２搬送路３４に沿って前後方向８に搬送される。
【００３１】
第１搬送路３３は、所定間隔を隔てて互いに対向する外側ガイド部材１８と内側ガイド部材１９とによって形成されている。第２搬送路３４は、記録部２４が配置されている位置において、所定間隔を隔てて互いに対向する記録部２４とプラテン４２とによって形成されている。また、第２搬送路３４は、記録部２４よりも搬送向き１５の上流側において、所定間隔を隔てて互いに対向する上側ガイド部材１７と下側ガイド部材２３とによって形成されている。また、第２搬送路３４における下側ガイド部材２３よりも後側は、所定間隔を隔てて互いに対向する上側ガイド部材１７と外側ガイド部材１８とによって形成されている。
【００３２】
上側ガイド部材１７は、第２搬送路３４の上側に設けられている。下側ガイド部材２３及び外側ガイド部材１８は、第２搬送路３４の下側に設けられている。なお、下側ガイド部材２３と外側ガイド部材１８との間には間隔があり、第１搬送路３３は、当該間隔において第２搬送路３４と合流する。つまり、第１搬送路３３は、下側ガイド部材２３よりも搬送向き１５の上流側において第２搬送路３４と合流する。
【００３３】
下側ガイド部材２３は、後述する第１状態の搬送ローラ対５９（図３（Ａ）に示される状態の搬送ローラ対５９）による記録用紙１２の挟持位置Ｐ２（図３（Ａ）参照）よりも下方に設けられている。よって、上側ガイド部材１７と下側ガイド部材２３とによって区画される第１領域６７は、挟持位置Ｐ２よりも下方の第２領域６８を含んでいる。ここで、第２領域６８は、メディアトレイ１１０が第２搬送路３４を搬送される際に通過する空間である。
【００３４】
［記録部２４］
図２に示されるように、記録部２４は、第２搬送路３４の上側に設けられている。記録部２４の下側且つ記録部２４と対向する位置には、プラテン４２が設けられている。
【００３５】
プラテン４２は、前後方向８及び左右方向９の長さが上下方向７の長さよりも長い平板形状の部材である。図６に示されるように、プラテン４２は、その上面に、搬送向き１５と直交する左右方向９（本発明の幅方向の一例）に間隔を空けて複数配置され且つ前後方向８に延設されたリブ１２０（本発明の下側当接部の一例）を備える。複数のリブ１２０は、第２搬送路３４を搬送される記録用紙１２と下方から当接する。つまり、複数のリブ１２０は、記録用紙１２を支持する。なお、複数のリブ１２０が間隔を空けて並ぶ方向は、搬送向き１５と直交する左右方向９に限らず、搬送向き１５と交差する方向であればよい。
【００３６】
図２に示されるように、記録部２４は、キャリッジ４０と記録ヘッド３８とを備えている。キャリッジ４０は、前後方向８に間隔を空けて配置された２つのガイドレール５６、５７によって左右方向９へ往復移動可能に支持されている。記録ヘッド３８は、キャリッジ４０に搭載されている。記録ヘッド３８には、インクカートリッジ（不図示）からインクが供給される。記録ヘッド３８の下面には、ノズル３９が形成されている。キャリッジ４０が左右方向９に移動しているときに、記録ヘッド３８は、ノズル３９からインク滴をプラテン４２に向けて吐出する。これにより、搬送向き１５に搬送されてプラテン４２に支持された記録用紙１２またはメディアトレイ１１０に支持された記録メディアに画像が記録される。
【００３７】
［搬送ローラ対５９及び排出ローラ対４４］
図２に示されるように、第２搬送路３４における記録部２４及びプラテン４２よりも搬送向き１５の上流側且つ上側ガイド部材１７及び下側ガイド部材２３よりも下流側には、搬送ローラ対５９（本発明のローラ対の一例）が配置されている。搬送ローラ対５９は、給送トレイ２０よりも上方に配置されている。第２搬送路３４における記録部２４よりも搬送向き１５の下流側には、排出ローラ対４４が配置されている。
【００３８】
図２及び図４に示されるように、搬送ローラ対５９は、第２搬送路３４の上側に配置された搬送ローラ６０と、第２搬送路３４の下側に搬送ローラ６０と対向して配置されたピンチローラ６１とを備えている。搬送ローラ６０は、左右方向９に延びた円柱状の部材である。ピンチローラ６１は、左右方向９に間隔を空けて複数設けられている。各ピンチローラ６１は、後述する移動機構５０を構成する部材の一つであって各ピンチローラ６１に対応して設けられた支持部材５５によって回転可能に支持されている。各支持部材５５は、弾性部材６６によって搬送ローラ６０側に付勢されている。これにより、各ピンチローラ６１は、弾性部材６６に搬送ローラ６０側へ付勢されることによって搬送ローラ６０を押圧している。なお、本実施形態では、ピンチローラ６１は２個で１組となったものが４個、つまり８個設けられているが、ピンチローラ６１の数は８個に限らない。
【００３９】
図２に示されるように、排出ローラ対４４は、第２搬送路３４の下側に配置された排出ローラ６２と、第２搬送路３４の上側に排出ローラ６２と対向して配置された拍車６３とを備えている。図４に示されるように、排出ローラ６２は、左右方向９に延びた軸６４と、左右方向９に間隔を空けて軸６４に取り付けられたローラ部５８とを備えている。拍車６３は、左右方向９に間隔を空けて複数設けられている。各拍車６３は、ローラ部５８と対向する位置に設けられている。排出ローラ６２は、弾性部材によって拍車６３側へ付勢されている。
【００４０】
搬送ローラ対５９及び排出ローラ対４４は、後述するように記録用紙１２またはメディアトレイ１１０を挟持可能である。また、搬送ローラ６０及び排出ローラ６２は、搬送用モータ（不図示）から正転の駆動力が伝達されて正転し、逆転の駆動力が伝達されて逆転する。
【００４１】
搬送ローラ対５９に記録用紙１２またはメディアトレイ１１０が挟持されている状態において、搬送ローラ６０が正転すると、当該記録用紙１２またはメディアトレイ１１０は、搬送ローラ対５９によって第２搬送路３４を、搬送向き１５、つまり前向きに搬送され、搬送ローラ６０が逆転すると、当該記録用紙１２またはメディアトレイ１１０は、搬送ローラ対５９によって第２搬送路３４を、搬送向き１５と逆向き、つまり後向きに搬送される。
【００４２】
また、排出ローラ対４４に記録用紙１２またはメディアトレイ１１０が挟持されている状態において、排出ローラ６２が正転すると、当該記録用紙１２またはメディアトレイ１１０は、排出ローラ対４４によって第２搬送路３４を、搬送向き１５、つまり前向きに搬送されて排出トレイ２１に排出され、排出ローラ６２が逆転すると、当該記録用紙１２またはメディアトレイ１１０は、排出ローラ対４４によって第２搬送路３４を、搬送向き１５と逆向き、つまり後向きに搬送される。
【００４３】
［搬送ローラ対５９、排出ローラ対４４、プラテン４２、及び下側ガイド部材２３の状態変化］
図４及び図５に示されるように、プリンタ部１１には、移動機構５０（本発明の状態変化機構の一例）が設けられている。移動機構５０は、上述した支持部材５５と、支持部材５５の左右両端部から下方へ突出しており孔５３が形成された凸部５２と、左右方向９に延びており孔５３に挿通されたシャフト５４と、後述するレバー部９０とを備えている。シャフト５４の左右両端部は、レバー部９０に設けられた開口９１（図３参照）に挿通されている。
【００４４】
凸部５２は、複数のピンチローラ６１のうち左右両端側に設けられたピンチローラ６１Ａの軸５１Ａに設けられた凸部５２Ａと、左右方向９における中央側に設けられたピンチローラ６１Ｂの軸５１Ｂに設けられた凸部５２Ｂとで構成されている。
【００４５】
ここで、ピンチローラ６１Ａは、左右方向９において、複合機１０に挿入された状態のメディアトレイ１１０の中央部に設けられた記録メディアが支持される支持領域（不図示）の両側、つまり支持領域よりも右側及び左側に対応する位置に設けられている。一方、ピンチローラ６１Ｂは、左右方向９において、支持領域に対応する位置に設けられている。
【００４６】
また、凸部５２Ａに設けられた孔５３Ａを構成する内周面の上端は、凸部５２Ｂに設けられた孔５３Ｂを構成する内周面の上端と同じ高さである。一方、孔５３Ａを構成する内周面の下端は、孔５３Ｂを構成する内周面の下端よりも低い位置である。つまり、孔５３Ａは、孔５３Ｂよりも大きい。
【００４７】
排出ローラ６２の軸６４の左右両端部は、レバー部９０に設けられた開口９２（図３参照）に挿通されている。
【００４８】
後述するように、搬送ローラ対５９は、シャフト５４が上下動することによって、ピンチローラ６１が搬送ローラ６０と当接しており記録用紙１２を挟持可能な第１状態（図５（Ａ）参照）、及びピンチローラ６１が搬送ローラ６０から離間しておりメディアトレイ１１０を挟持可能な第２状態（図５（Ｃ）参照）に状態変化する。また、排出ローラ対４４は、排出ローラ６２の軸６４が上下動することによって、拍車６３が排出ローラ６２と当接しており記録用紙１２を挟持可能な第１状態（図２に実線で示される状態）、及び排出ローラ６２が拍車６３から離間しておりメディアトレイ１１０を挟持可能な第２状態（図２に破線で示される状態）に状態変化する。なお、後述するように、シャフト５４及び軸６４の上下動は、レバー部９０が前後方向８に移動することによって実行される。
【００４９】
また、図３に示されるように、プラテン４２の左右両側面には、外側に向けて突出した突起４３が設けられている。突起４３は、レバー部９０に設けられた開口１３０に挿通されている。後述するように、プラテン４２は、突起４３が上下動することによって、記録部２４との間に間隔Ｄ１を有した第１状態（図３（Ａ）参照）、及び記録部２４との間に間隔Ｄ１よりも大きな間隔Ｄ２を有した第２状態（図３（Ｂ）参照）に状態変化する。
【００５０】
記録用紙１２が第２搬送路３４を搬送される際、プラテン４２は第１状態に状態変化されて記録用紙１２を支持する。一方、メディアトレイ１１０が第２搬送路３４を搬送される際、プラテン４２は第２状態に状態変化される。これにより、プラテン４２は、搬送されるメディアトレイ１１０よりも下方に位置する。その結果、搬送されるメディアトレイ１１０は、プラテン４２と接触しない。
【００５１】
また、下側ガイド部材２３は、後端部に設けられ且つ左右方向９に延びた軸６９を中心として、矢印７０の方向に回動可能に構成されている。軸６９は、プリンタ部１１のフレーム（不図示）に支持されている。一方、下側ガイド部材２３の回動先端部７１は、レバー部９０に設けられた支持部８９に支持されている。後述するように、下側ガイド部材２３は、回動先端部７１がレバー部９０の移動により上下動することによって回動し、図３（Ａ）に示される第３状態及び図３（Ｂ）に示される第４状態に状態変化する。
【００５２】
ここで、図３（Ａ）に示されるように、下側ガイド部材２３の回動先端部７１は、第３状態において、第１状態の搬送ローラ対５９による記録用紙１２の挟持位置Ｐ２の近傍に位置する。一方、図３（Ｂ）に示されるように、回動先端部７１は、第４状態において、第３状態のときよりも下方に位置する。
【００５３】
以上より、搬送ローラ対５９、排出ローラ対４４、及びプラテン４２は、記録用紙１２に画像記録される際に第１状態に状態変化され、メディアトレイ１１０に支持された記録メディアに画像記録される際に第２状態に状態変化される。また、下側ガイド部材２３は、記録用紙１２に画像記録される際に第３状態に状態変化され、メディアトレイ１１０に支持された記録メディアに画像記録される際に第４状態に状態変化される。この状態変化は、ユーザが後述するレバー部９０を移動させることによって行われる。
【００５４】
［レバー部９０］
図３に示されるように、プリンタ部１１には、レバー部９０が前後方向８に移動可能に配置されている。レバー部９０は、図３（Ａ）に示される位置である第１位置と、第１位置よりも前側の位置であって図３（Ｂ）に示される位置である第２位置との間で移動可能である。
【００５５】
図６に示されるように、レバー部９０は、ユーザによって把持される把持部９３と、把持部９３の左右両端部から後方へ延びており把持部９３及び後述する案内部９５を連結する一対の接続部９４と、接続部９４の後端部から後方へ延びた一対の案内部９５とを備えている。
【００５６】
図１に示されるように、把持部９３は、凹部８０における開口１３近傍であって、開口１３の上端近傍に配置されている。図６に示されるように、把持部９３は、左右方向９に延びた部材である。把持部９３の左右方向９の中央部には、開口９６が設けられている。ユーザは、開口９６に指を入れることによって把持部９３を把持することができる。
【００５７】
接続部９４は前後方向８に長い平板形状の部材である。一対の接続部９４の一方は、凹部８０の右端近傍且つ上端近傍を前後方向８に延びている。一対の接続部９４の他方は、凹部８０の左端近傍且つ上端近傍を前後方向８に延びている。接続部９４は、プリンタ部１１の筐体１４の内側面８１（図１参照）によって、前後方向８に移動可能に支持されている。
【００５８】
図３及び図６に示されるように、案内部９５は、前後方向８において排出ローラ対４４から搬送ローラ対５９の後方まで延びている。また、案内部９５は、搬送路６５の右端よりも右側及び搬送路６５の左端よりも左側に、一対に配置されている。案内部９５は、プリンタ部１１のフレーム（不図示）に支持されている。
【００５９】
図３に示されるように、案内部９５には、開口９１、９２と、２つの開口１３０と、支持部８９とが設けられている。開口９１は、前側が後側よりも高位置である傾斜面９７と、傾斜面９７の前端と繋がっており前後方向８に延びた水平面９８Ａと、傾斜面９７の後端と繋がっており前後方向８に延びた水平面９８Ｂとを備えている。
【００６０】
また、開口９２は、前側が後側よりも高位置である傾斜面９９と、傾斜面９９の前端と繋がっており前後方向８に延びた水平面１００Ａと、傾斜面９９の後端と繋がっており前後方向８に延びた水平面１００Ｂとを備えている。
【００６１】
また、開口１３０は、前側が後側よりも高位置である傾斜面１３１と、傾斜面１３１の前端と繋がっており前後方向８に延びた水平面１３２Ａと、傾斜面１３１の後端と繋がっており前後方向８に延びた水平面１３２Ｂとを備えている。
【００６２】
また、支持部８９は、右側の案内部９５の左側面から左側へ突出したリブと、左側の案内部９５の右側面から右側へ突出したリブである。支持部８９は、前側が後側よりも高位置である傾斜部８７と、傾斜部８７の前端と繋がっており前後方向８に延びた水平部８８Ａと、傾斜部８７の後端と繋がっており前後方向８に延びた水平部８８Ｂとを備えている。
【００６３】
以下、レバー部９０の移動に伴う搬送ローラ対５９の状態変化について説明する。図３（Ａ）及び図５（Ａ）に示されるように、レバー部９０が第１位置に位置しているとき、シャフト５４は、開口９１における水平面９８Ａの下方に位置している。このとき、ピンチローラ６１は、弾性部材６６（図４参照）の付勢力によって搬送ローラ６０に圧接されている。つまり、搬送ローラ対５９は第１状態である。
【００６４】
ユーザが、把持部９３を把持して、レバー部９０を前向きに引っ張ると、レバー部９０は、第１位置から前方に移動する。これにより、シャフト５４は傾斜面９７と当接する。レバー部９０が更に前方に移動すると、シャフト５４は、傾斜面９７に対して摺動しながら相対移動する。これにより、シャフト５４は、傾斜面９７に案内されて下方に移動する。
【００６５】
すると、シャフト５４は、凸部５２Ｂの孔５３Ｂを構成する内周面の下端と当接し、当該下端を押す。これにより、凸部５２Ｂと一体形成された支持部材５５、及び当該支持部材５５に支持されたピンチローラ６１Ｂは、下方に移動する。その結果、ピンチローラ６１Ｂは、搬送ローラ６０から離間する。一方、この時点では、凸部５２Ａと一体形成された支持部材５５、及び当該支持部材５５に支持されたピンチローラ６１Ａは、移動しない。
【００６６】
ピンチローラ６１Ｂが搬送ローラ６０から離間した状態で、レバー部９０が更に前方に移動すると、シャフト５４は更に下方に移動する。そして、図５（Ｂ）に示されるように、シャフト５４は、凸部５２Ａの孔５３Ａを構成する内周面の下端と当接し、当該下端を押す。これにより、凸部５２Ａと一体形成された支持部材５５、及び当該支持部材５５に支持されたピンチローラ６１Ａは、下方に移動する。その結果、図５（Ｃ）に示されるように、ピンチローラ６１Ａは、搬送ローラ６０から離間する。つまり、搬送ローラ対５９は第２状態となる。
【００６７】
その後、レバー部９０が更に前方に移動すると、図３（Ｂ）に示されるように、シャフト５４は、弾性部材６６の付勢力によって水平面９８Ｂと圧接した状態となる。このとき、レバー部９０は第２位置に到達している。すなわち、レバー部９０が第２位置のとき、搬送ローラ対５９は第２状態である。
【００６８】
図５（Ｃ）では、ピンチローラ６１Ｂと搬送ローラ６０との距離Ｄ３は、ピンチローラ６１Ａと搬送ローラ６０との距離Ｄ４よりも大きい。これは、ピンチローラ６１Ｂがピンチローラ６１Ａよりも先に下方への移動を開始したからである。つまり、移動機構５０は、複数のピンチローラ６１の一部であるピンチローラ６１Ａを、搬送ローラ６０から離間する向きである下方に距離Ｄ４移動させ、複数のピンチローラ６１のうちのピンチローラ６１Ａ以外のピンチローラ６１Ｂを、下方に距離Ｄ３移動させることによって、搬送ローラ対５９を第１状態から第２状態へ状態変化させる。
【００６９】
ここで、距離Ｄ３は、メディアトレイ１１０の厚み（複合機１０に挿入された状態における上下方向７の長さ）よりも大きい。一方、距離Ｄ４は、メディアトレイ１１０の厚みよりも小さい。これにより、複合機１０に挿入されたメディアトレイ１１０は、搬送ローラ６０とピンチローラ６１Ａとによって挟持されるが、搬送ローラ６０とピンチローラ６１Ｂとによって挟持されない。
【００７０】
以下、レバー部９０の移動に伴う排出ローラ対４４の状態変化について説明する。図３（Ａ）に示されるように、レバー部９０が第１位置に位置しているとき、排出ローラ６２の軸６４は、開口９２における水平面１００Ａの下方に位置している。このとき、排出ローラ６２は、弾性部材（不図示）の付勢力によって拍車６３に圧接されている。つまり、排出ローラ対４４は第１状態である。
【００７１】
ユーザが、把持部９３を把持して、レバー部９０を前向きに引っ張ると、レバー部９０は、第１位置から前方に移動する。これにより、軸６４は傾斜面９９と当接する。レバー部９０が更に前方に移動すると、軸６４は、傾斜面９９に対して摺動しながら相対移動する。これにより、軸６４は、下方に移動する。つまり、排出ローラ６２は、下方に移動する。その結果、排出ローラ６２は、傾斜面９９に案内されて下方に移動し、拍車６３から離間する。つまり、排出ローラ対４４は第２状態となる。
【００７２】
その後、レバー部９０が更に前方に移動すると、図３（Ｂ）に示されるように、軸６４は、弾性部材の付勢力によって水平面１００Ｂと圧接した状態となる。このとき、レバー部９０は第２位置に到達している。すなわち、レバー部９０が第２位置のとき、排出ローラ対４４は第２状態である。
【００７３】
以下、レバー部９０の移動に伴うプラテン４２の状態変化について説明する。図３（Ａ）に示されるように、レバー部９０が第１位置に位置しているとき、プラテン４２の突起４３は、開口１３０における水平面１３２Ａの下方に位置している。このとき、プラテン４２は、第１状態である。
【００７４】
ユーザが、把持部９３を把持して、レバー部９０を前向きに引っ張ると、レバー部９０は、第１位置から前方に移動する。これにより、突起４３は傾斜面１３１と当接する。レバー部９０が更に前方に移動すると、突起４３は、傾斜面１３１に対して摺動しながら相対移動する。これにより、突起４３は、下方に移動する。つまり、プラテン４２は、下方に移動し第２状態となる。
【００７５】
その後、レバー部９０が更に前方に移動すると、図３（Ｂ）に示されるように、突起４３は、弾性部材の付勢力によって水平面１３２Ｂと圧接した状態となる。このとき、レバー部９０は第２位置に到達している。すなわち、レバー部９０が第２位置のとき、プラテン４２は第２状態である。
【００７６】
以下、レバー部９０の移動に伴う下側ガイド部材２３の状態変化について説明する。図３（Ａ）に示されるように、レバー部９０が第１位置に位置しているとき、下側ガイド部材２３の回動先端部７１は、水平部８８Ａに支持されている。このとき、下側ガイド部材２３は、第３状態である。
【００７７】
ユーザが、把持部９３を把持して、レバー部９０を前向きに引っ張ると、レバー部９０は、第１位置から前方に移動する。これにより、回動先端部７１は、支持部８９に対して摺動しながら相対移動して、水平部８８Ａから離間して傾斜部８７に支持される。レバー部９０が更に前方に移動すると、回動先端部７１は、傾斜部８７に対して摺動しながら相対移動する。これにより、回動先端部７１は、下方に移動する。つまり、下側ガイド部材２３は、下方へ回動し、第４状態となる。
【００７８】
その後、レバー部９０が更に前方に移動すると、図３（Ｂ）に示されるように、回動先端部７１は、傾斜部８７から離間して水平部８８Ｂに支持される。このとき、レバー部９０は第２位置に到達している。すなわち、レバー部９０が第２位置のとき、プラテン４２は第４状態である。
【００７９】
レバー部９０が第２位置から第１位置に移動するとき、上述と逆の動作が実行される。つまり、シャフト５４が水平面９８Ｂから離間して傾斜面９７に対して摺動することによって、ピンチローラ６１が上方へ移動して搬送ローラ６０と当接する。また、軸６４が水平面１００Ｂから離間して傾斜面９９に対して摺動することによって、排出ローラ６２が上方へ移動して拍車６３と当接する。また、突起４３が水平面１３２Ｂから離間して傾斜面１３１に対して摺動することによって、プラテン４２が上方へ移動する。また、回動先端部７１が水平部８８Ｂから離間して傾斜部８７に対して摺動することによって、下側ガイド部材２３が上方へ回動する。
【００８０】
以上より、レバー部９０は、搬送ローラ対５９、排出ローラ対４４、及びプラテン４２を第１状態とする第１位置、並びに搬送ローラ対５９、排出ローラ対４４、及びプラテン４２を第２状態とする第２位置の間で移動可能である。また、レバー部９０は、ローラ対５９、４４を第１状態に状態変化させるとともに下側ガイド部材２３を第３状態に状態変化させ、ローラ対５９、４４を第２状態に状態変化させるとともに下側ガイド部材２３を第４状態に状態変化させる。
【００８１】
［当接部材４１］
図２に示されるように、第２搬送路３４におけるノズル３９よりも上流側には、当接部材４１が配置されている。図６に示されるように、当接部材４１は、左右方向９において、プラテン４２に形成された複数のリブ１２０の間のそれぞれに配置されている。当接部材４１は、７個設けられているが、７個以外の個数でもよい。
【００８２】
図２に示されるように、当接部材４１の基端部７７は、ガイドレール５６に取り付けられている。一方、当接部材４１の当接部７８（本発明の上側当接部の一例）は、搬送向き１５におけるノズル３９及び搬送ローラ対５９の間に配置されている。当接部７８の先端７９は、リブ１２０の上端よりも下方に位置している。また、先端７９は、第１状態における搬送ローラ対５９による記録用紙１２の挟持位置Ｐ２（図３（Ａ）参照）及び記録部２４よりも下方に位置している。
【００８３】
先端７９は、第２搬送路３４を搬送される記録用紙１２と上方から当接する。これにより、記録用紙１２は、上方から当接する先端７９と下方から当接するリブ１２０とによって、左右方向９に連続する波形状にされる。
【００８４】
［手差しトレイ１０１］
図２に示されるように、プリンタ部１１の背面側に手差しトレイ１０１が設けられている。手差しトレイ１０１は、薄型の平板形状の部材である。手差しトレイ１０１の下端部には、左右方向９に延びた軸１０２が設けられている。当該軸１０２は、筐体１４の後側を構成する後壁（不図示）に、軸１０２を中心として矢印１０３の方向に回動可能に取り付けられている。
【００８５】
これにより、手差しトレイ１０１は、図２に破線で示された第１姿勢と、図２に実線で示された第２姿勢とに回動可能である。手差しトレイ１０１は、第１姿勢において、後壁に沿っている。また、手差しトレイ１０１は、第２姿勢において、後壁に対して傾倒している。手差しトレイ１０１の回動は、ユーザが手差しトレイ１０１を把持することによって行われる。なお、手差しトレイ１０１は、第２姿勢に固定された状態で筐体１４に取り付けられていてもよい。
【００８６】
手差しトレイ１０１が第２姿勢のとき、手差しトレイ１０１の一方の面１０４には、記録用紙１２が支持される。ここで、面１０４は、手差しトレイ１０１が第１姿勢のときに後壁と対向する面である。第２姿勢の手差しトレイ１０１の面１０４は、手差し経路１０５へ通じている。ここで、手差し経路１０５は、所定間隔を隔てて互いに対向する一方の面１０４の下端部と、上側ガイド部材１７の後面１０６とによって形成されている。
【００８７】
手差し経路１０５の一方の端部（後側の端部）は、プリンタ部１１の外部と連通している。一方、手差し経路１０５の他方の端部（前側の端部）は、第２搬送路３４に対して、搬送ローラ対５９よりも搬送向き１５の上流側である第１搬送路３３との合流位置Ｐ１よりも後側の合流位置Ｐ３で合流している。
【００８８】
ここで、第２搬送路３４は、手差し経路１０５との合流位置Ｐ３よりも後側まで延びている。つまり、第２搬送路３４は、図２に示されるように、合流位置Ｐ３よりも前側（搬送ローラ対５９側）の範囲３４Ａに形成された第１経路と、合流位置Ｐ３よりも後側（搬送ローラ対５９と反対側）の範囲３４Ｂに形成された第２経路とで構成されている。第１経路には、開口１３から挿入されたメディアトレイ１１０、給送トレイ２０から第２搬送路３４へ給送された記録用紙１２、または手差しトレイ１０１から手差し経路１０５へ挿入された記録用紙１２のいずれかが搬送される。第２経路には、開口１３から挿入されたメディアトレイ１１０が搬送されるが、給送トレイ２０から第２搬送路３４へ給送された記録用紙１２、及び手差しトレイ１０１から手差し経路１０５へ挿入された記録用紙１２は搬送されない。
【００８９】
手差し経路１０５は、一方の端部が他方の端部よりも後方斜め上側に位置している。つまり、手差し経路１０５は、斜め上方から第２搬送路３４と合流している。
【００９０】
記録用紙１２は、手差しトレイ１０１の面１０４に支持された状態で、手差し経路１０５へ挿入される。この際、記録用紙１２は、その挿入先端部が手差し経路１０５を通過して搬送ローラ対５９と当接するまで挿入される。これにより、記録用紙１２の挿入先端部は、手差し経路１０５から第２搬送路３４における第１領域６７を経て搬送ローラ対５９へ到達する。つまり、記録用紙１２は、図２に２点鎖線で示されるような状態で、手差しトレイ１０１に支持される。
【００９１】
記録用紙１２は、以下に詳述するように、第１領域６７のうちの第２領域６８を経て搬送ローラ対５９へ送られる。つまり、記録用紙１２は、図２に２点鎖線で示される状態において、第２搬送路３４の下側を形成する外側ガイド部材１８の上面に支持されるが、当該外側ガイド部材１８よりも前側において、自重によって下方へ落ち込む。外側ガイド部材１８よりも前側に配置された下側ガイド部材２３の基端側が、外側ガイド部材１８の上面よりも下方に位置するためである。下方へ落ち込んだ記録用紙１２は、下側ガイド部材２３に支持される。つまり、手差しトレイ１０１に支持された記録用紙１２は、第２搬送路３４における搬送ローラ対５９よりも搬送向き１５の上流側から第１領域６７の第２領域６８を経て搬送ローラ対５９へ送られる。すなわち、記録用紙１２は、斜め下側から搬送ローラ対５９へ送られる。
【００９２】
この状態において、搬送ローラ対５９が記録用紙１２を搬送する場合、図９に示されるように、斜め下側から搬送ローラ対５９へ送られた記録用紙は、搬送ローラ対５９によって、斜め上側へ搬送される。斜め上側へ搬送された記録用紙１２は、当接部材４１の当接部７８によって、搬送される向きを斜め上側から斜め下側へ変えられる。これにより、記録用紙１２は、斜め下側へ搬送され、プラテン４２に当接する。以後、記録用紙１２は、プラテン４２に沿って搬送される。そのため、記録用紙１２が記録ヘッド３８と接触することはない。
【００９３】
［メディアトレイ１１０の動作］
以下、複合機１０にメディアトレイ１１０が挿入され、メディアトレイ１１０に載置された記録メディアに画像が記録される手順が説明される。ユーザの操作によってレバー部９０が第１位置から第２位置へ移動すると、搬送ローラ対５９、排出ローラ対４４、及びプラテン４２が第１状態から第２状態へ状態変化し、下側ガイド部材２３が第３状態から第４状態へ状態変化する。つまり、ピンチローラ６１、排出ローラ６２、プラテン４２、及び下側ガイド部材２３は、図２に実線で示される位置から破線で示される位置へ移動する。これにより、搬送ローラ対５９及び排出ローラ対４４は、メディアトレイ１１０を挟持して第２搬送路３４に沿って搬送可能な状態となる。また、プラテン４２は下方へ移動し、下側ガイド部材２３はその回動先端部が下方となるように回動する。つまり、プラテン４２及び下側ガイド部材２３は、第２搬送路３４を搬送されるメディアトレイ１１０と接触しない位置へ退避する。
【００９４】
次に、ユーザは、記録メディアが載置されたメディアトレイ１１０を開口１３から凹部８０を通じてプリンタ部１１内部の第２搬送路３４へ向けて、後向きへ挿入する。この際、メディアトレイ１１０は、凹部８０の内側面８１に設けられたトレイガイド（不図示）に支持されつつ、少なくとも下流端部１１８が排出ローラ対４４に挟持される位置まで挿入される。なお、メディアトレイ１１０は、更に奥まで、例えば下流端部１１８が搬送ローラ対５９に挟持される位置まで挿入されてもよい。
【００９５】
次に、ユーザは、複合機１０の正面上部に設けられた操作パネル１３３（図１参照）を操作して、画像を記録する機能を選択する。これにより、搬送用モータから搬送ローラ６０及び排出ローラ６２へ逆転の駆動力が伝達される。すると、メディアトレイ１１０は、排出ローラ対４４によって、第２搬送路３４を後向きへ搬送される。
【００９６】
メディアトレイ１１０は、支持された記録メディアが記録部２４よりも後方となる位置まで搬送される。このとき、メディアトレイ１１０の挿入先端は、図７に示されるように、筐体１４の後壁に設けられた開口１３４から突出している。
【００９７】
なお、プリンタ部１１は、メディアトレイ１１０が筐体１４の後壁から突出しないように構成されていてもよい。この場合、例えば、図１０に示されるように、プリンタ部１１は開口１３４を備えておらず、プリンタ部１１の筐体１４の後壁からは手差し経路１０５のみが第２搬送路３４と接続されている。
【００９８】
この状態において、搬送用モータから搬送ローラ６０及び排出ローラ６２へ伝達される駆動力が、逆転から正転へ切り換えられる。これにより、メディアトレイ１１０が前方に搬送され、メディアトレイ１１０に載置された記録メディアが記録部２４の下方を通る。このとき、搬送される記録メディアに対して、記録ヘッド３８からインク滴が吐出される。これにより、記録メディアの盤面上に画像が記録される。その後、メディアトレイ１１０は開口１３から複合機１０の外部に排出される。
【００９９】
［実施形態の効果］
本実施形態によれば、手差しトレイ１０１に載置された記録用紙１２は、上側ガイド部材１７及び下側ガイド部材２３によって区画されている第１領域６７を経て搬送ローラ対５９による挟持位置へ進入する。この際、記録用紙１２は、自重によって下側へ湾曲されて、下側ガイド部材２３に支持される、或いは、下側ガイド部材２３の近傍を通る。これにより、記録用紙１２は、斜め下側から搬送ローラ対５９による挟持位置へ進入する。すると、搬送ローラ対５９は、記録用紙１２を斜め上向きに搬送する。ここで、第２搬送路３４における搬送ローラ対５９とノズル３９との間には、当接部材４１の当接部７８が設けられているため、記録用紙１２は、上方から当接部７８に当接される。これにより、記録用紙１２の搬送向き１５は、斜め上向きから下側へと変更される。その結果、記録用紙１２が記録部２４と接触する可能性を低くすることができる。つまり、本実施形態によれば、記録用紙１２が斜め下側から搬送ローラ対５９に進入した場合であっても、当該記録用紙１２が記録部２４と接触する可能性を低くすることができる。
【０１００】
また、手差しトレイ１０１に載置された記録用紙１２を斜め下側からでなく斜め上側から搬送ローラ対５９による挟持位置へ進入させるために、例えば、上側ガイド部材１７及び下側ガイド部材２３によって区画されている第１領域６７よりも搬送向きの上流側において、第２搬送路３４の下側を形成する部材である外側ガイド部材１８の上面に、搬送向き１５に沿って斜め上向きの傾斜面が形成された凸部を設けることが考えられる。これにより、手差しトレイ１０１に載置された記録用紙１２は、傾斜面に沿って斜め上向きに案内されるため、上側へ湾曲される。その結果、当該記録用紙１２を斜め上側から搬送ローラ対５９による挟持位置へ進入させることができる。
【０１０１】
しかしながら、本実施形態では、第２搬送路３４に上記のような凸部を設けることはできない。なぜなら、凸部は手差しトレイ１０１に載置された記録用紙１２が通過する第１経路（第２搬送路３４における範囲３４Ａ）上に設けられる必要があるところ、メディアトレイ１１０は第１経路から合流位置Ｐ３を経て第２経路（第２搬送路３４における範囲３４Ｂ）にまで搬送されるため、凸部を設けてしまうと、メディアトレイ１１０の搬送が凸部によって阻害されてしまうからである。よって、上述したように当接部７８を設けることが有効となる。
【０１０２】
また、本実施形態によれば、手差しトレイ１０１に載置された記録用紙１２は手差し経路１０５を経て斜め上方から第２搬送路３４へ進入するため、第２搬送路３４において下方へ湾曲し易い。その結果、当該記録用紙１２は、斜め下側から搬送ローラ対５９による挟持位置へ進入し易い。つまり、本実施形態では、記録用紙１２が斜め下側から搬送ローラ対５９による挟持位置へ進入してしまうために記録用紙１２と記録部２４とが接触してしまうという課題がより顕著となる。そのため、上述したように当接部７８を設けることが有効となる。
【０１０３】
また、本実施形態によれば、下側ガイド部材２３は、第３状態において搬送向き１５の下流側の端部が挟持位置Ｐ２の近傍に位置するため、記録用紙１２を支持して搬送ローラ対５９による挟持位置Ｐ２へ案内することができる。また、搬送ローラ対５９は、第１状態において、記録用紙１２を挟持して搬送することができる。一方、移動機構５０が搬送ローラ対５９を第２状態に状態変化させると、搬送ローラ対５９を構成するローラ同士の間隔が大きくなるため、搬送ローラ対５９は、メディアトレイ１１０を挟持して搬送することができる。また、移動機構５０が下側ガイド部材２３を第３状態から第４状態に状態変化させると、下側ガイド部材２３が下方へ移動するため、搬送されるメディアトレイ１１０が下側ガイド部材２３と接触することを防止することができる。
【０１０４】
また、本実施形態によれば、リブ１２０と当接部７８とが記録用紙１２に対して左右方向９に連続する波形状を付与することによって、記録用紙１２の湾曲を防止して記録用紙１２と記録部２４との距離を一定に保つことができる。その結果、記録部２４によって記録用紙１２に記録される画像の画質を良好に維持することができる。よって、搬送ローラ対５９によって斜め上向きに搬送される記録用紙１２を上方から押さえることによって記録用紙１２と記録部２４との接触可能性を低減する機能を有する当接部７８を、記録用紙１２に対して波形状を付与する機能を有するものとしても用いることができる。
【０１０５】
また、本実施形態によれば、第１搬送路３３は下方から第２搬送路３４と合流する。そのため、手差しトレイ１０１に載置されて第２搬送路３４へ送られた記録用紙１２は、第２搬送路３４と第１搬送路３３との合流位置Ｐ１において、湾曲路を構成する空間側へ、つまり下方へ湾曲し易い。その結果、当該記録用紙１２は、斜め下側から搬送ローラ対５９による挟持位置Ｐ２へ進入し易い。つまり、本実施形態では、記録用紙１２が斜め下側から搬送ローラ対５９による挟持位置へ進入してしまうために記録用紙１２と記録部２４とが接触してしまうという課題がより顕著となる。そのため、上述したように当接部７８を設けることがより有効となる。
【０１０６】
［変形例１］
下側ガイド部材２３の状態変化は、回動以外、例えば上下方向７に沿った移動によって行われてもよい。この場合、第４状態の下側ガイド部材２３は、その全体が第３状態のときよりも下方に位置する。
【０１０７】
［変形例２］
下側ガイド部材２３は、状態変化しなくてもよい。この場合、下側ガイド部材２３は、第２搬送路３４においてメディアトレイ１１０が搬送される領域よりも下方に設けられる。
【０１０８】
［変形例３］
手差し経路１０５は、斜め上方以外、例えば斜め下方から第２搬送路３４と合流してもよい。
【０１０９】
［変形例４］
上述の実施形態では、第２搬送路３４は、第１経路と第２経路とで構成されていたが、第２搬送路３４は、第１経路のみで構成されていてもよい。
【０１１０】
このような構成は、例えば、図８に示されるように、手差しトレイ１０１が筐体１４の後壁における開口１３４の直下に取り付けられることで実現可能である。図８の場合、手差しトレイ１０１の面１０４に支持された記録用紙１２は、開口１３４を通じて第２搬送路３４の後端部へ挿入される。つまり、手差しトレイ１０１の面１０４に支持された記録用紙１２は、第２搬送路３４の全領域を搬送可能である。つまり、図８の構成の場合、第２搬送路３４は、第１経路のみで構成されている。
【０１１１】
なお、図８では、手差しトレイ１０１は軸１０２を中心に矢印１０７の方向に回動可能に構成されているが、手差しトレイ１０１は筐体１４の後壁に固定された状態で取り付けられていてもよい。
【０１１２】
［変形例５］
上述の実施形態では、ピンチローラ６１が弾性部材６６によって搬送ローラ６０側に付勢されていたが、上述とは逆に、搬送ローラ６０が弾性部材によってピンチローラ６１側に付勢されていてもよい。なお、搬送ローラ対５９を構成するローラは、下側のローラが下方へ移動することを条件として、上述の実施形態とは上下逆に配置されていてもよい。
【０１１３】
また、記録用紙１２に画像が記録される場合には、拍車６３が使用される一方で、記録メディアに画像が記録される場合には、拍車６３の代わりに、排出ローラ６２に従動して回転する従動ローラ（拍車６３とは異なりローラ面に凹凸がないローラ）が使用されてもよい。
【０１１４】
この場合、例えば、拍車６３及び上記従動ローラが、レバー部９０の移動に連動して上下動するように構成されており、レバー部９０が第１位置から第２位置へ移動すると、拍車６３が上方に退避する一方で、上記従動ローラが直線部３４へ出てくる。また、レバー部が第２位置から第１位置へ移動すると、上記従動ローラが上方に退避する一方で、拍車６３が直線部３４へ出てくる。
【０１１５】
また、この場合、排出ローラ６２が弾性部材によって上記従動ローラ側に付勢されていてもよいし、上記従動ローラが弾性部材によって排出ローラ６２側に付勢されていてもよい。また、排出ローラ対４４を構成する排出ローラ６２及び上記従動ローラは、下側のローラが下方へ移動することを条件として、排出ローラ６２が上側で上記従動ローラが下側に配置されていてもよい。
【０１１６】
［変形例６］
ピンチローラ６１及び排出ローラ６２の移動方向は、上下方向７に限らない。例えば、上下方向７に対して傾斜した向きでもよい。
【０１１７】
［変形例７］
上述の実施形態では、当接部材４１は、左右方向９において、プラテン４２に形成された複数のリブ１２０の間のそれぞれに配置されているが、複数のリブ１２０の間の一部にのみ配置されていてもよい。
【０１１８】
［変形例８］
上述の実施形態では、メディアトレイ１１０は装置前面の開口１３から挿入されたが、装置背面の開口１３４から挿入されてもよい。この場合、メディアトレイ１１０は、前向きに搬送されつつ記録部２４によって記録メディアに画像を記録され、そのまま装置前面の開口１３から排出されてもよいし、画像記録後に後向きに搬送されて装置背面の開口１３４から排出されてもよい。
【０１１９】
［変形例９］
上述の実施形態では、搬送ローラ対５９、排出ローラ対４４、プラテン４２、及び下側ガイド部材２３は、レバー部９０によって状態変化させられていたが、状態変化の方法はこのような方法に限らない。例えば、搬送ローラ対５９、排出ローラ対４４、プラテン４２、及び下側ガイド部材２３は、モータから駆動力を付与されることによって上下方向７に移動可能に構成されていてもよい。この場合、搬送ローラ対５９、排出ローラ対４４、プラテン４２、及び下側ガイド部材２３は、モータから直接駆動伝達されることによって、上下方向７に移動してもよいし、レバー部９０がモータから駆動伝達されて前後方向８に移動することによって、上下方向７に移動してもよい。
【符号の説明】
【０１２０】
１０・・・複合機
１２・・・記録用紙
１５・・・搬送向き
１７・・・上側ガイド部材
２３・・・下側ガイド部材
２４・・・記録部
３４・・・第２搬送路
３９・・・ノズル
４１・・・当接部材
４４・・・排出ローラ対
５９・・・搬送ローラ対
６７・・・第１領域
６８・・・第２領域
７８・・・当接部
１０１・・・手差しトレイ
１１０・・・メディアトレイ
【図１】
2015067436.tif 000003
【図２】
2015067436.tif 000004
【図３】
2015067436.tif 000005
【図４】
2015067436.tif 000006
【図５】
2015067436.tif 000007
【図６】
2015067436.tif 000008
【図７】
2015067436.tif 000009
【図８】
2015067436.tif 000010
【図９】
2015067436.tif 000011
【図１０】
2015067436.tif 000012